(57)【要約】  本発明は、トリガ電極（９ｓ，９ｍ）を備え、２つのコンデンサ（４ｓ，４ｍ）間で直列に設置されたスイッチ（６ｓ，６ｍ）を各々が含む、一連の標準モジュール（３ｓ）および一連の修正モジュール（３ｍ）である、二連の電力モジュールあって、修正モジュールが、標準モジュールの周波数の実質的に３倍の周波数でパルスを生成するように構成される、二連の電力モジュールと、トリガ電極（９ｓ，９ｍ）に適用される同じトリガ信号によって標準および修正スイッチ（６ｓ，６ｍ）を制御するように構成されたトリガ装置（１３）と、を含むＬＴＤ系の高電力パルス発生器であって、トリガ信号が、標準および修正モジュール間で異なるトリガインピーダンス（１０ｍ，１０ｓ）を介してスイッチに適用されること、および発生したパルスのプラトーの傾斜が、標準インピーダンス値と修正インピーダンス値の間の差によって決まることを特徴とする、発生器（１）に関する。
2015534342.tif 000002
【特許請求の範囲】
【請求項１】
−  トリガ電極（９ｓ）を備え、第１の容量値の少なくとも１つのコンデンサ（４ｓ）と直列に設置された、標準スイッチ（６ｓ）と呼ばれるスイッチを各々が含む、標準モジュール（３ｓ）と呼ばれる第１の一連の電力モジュールであって、前記標準モジュールが、前記スイッチの閉止の際に第１の周波数でパルスを生成するように構成される、第１の一連の電力モジュールと、
−  トリガ電極（９ｍ）を備え、第２の容量値の少なくとも１つのコンデンサ（４ｍ）と直列に設置された、修正スイッチ（６ｍ）と呼ばれるスイッチを各々が含む、修正モジュール（３ｍ）と呼ばれる第２の一連の電力モジュールであって、前記修正モジュールが、前記スイッチの閉止の際に第２の周波数でパルスを生成するように構成され、前記第２の周波数が、前記第１の周波数の実質的に３倍である、第２の一連の電力モジュールと、
−  強磁性リング（７）と同心の負荷（８）内で前記標準（３ｓ）および前記修正（３ｍ）モジュールによって生成されたパルスを合計し、かつランプアップとプラトーとランプダウンとを含む実質的に四角形の、結果として生じるパルスを得るように構成された、少なくとも１つの前記強磁性リング（７）を含む磁気コアを含む中央コアと、
−  前記トリガ電極（９ｓ，９ｍ）に適用されるトリガ信号によって前記標準および前記修正スイッチ（６ｓ，６ｍ）を制御するように構成されたトリガ装置（１３）と、
を含む高電力パルス発生器（１）であって、
前記トリガ信号が、前記スイッチの前記トリガ電極に連結されたトリガインピーダンス（１０ｍ，１０ｓ）を介して前記スイッチに適用され、修正インピーダンス（１０ｍ）と呼ばれる前記修正スイッチのトリガインピーダンスが、標準インピーダンス（１０ｓ）と呼ばれる前記標準スイッチのトリガインピーダンスと異なること、および前記パルスの前記プラトーの傾斜が、標準インピーダンス値と修正インピーダンス値の間の差によって決まることを特徴とする、発生器（１）。
【請求項２】
前記標準（６ｓ）および前記修正（６ｍ）スイッチの前記トリガインピーダンス（１０ｓ，１０ｍ）が、それぞれ標準抵抗（１８ｓ）および修正抵抗（１８ｍ）と呼ばれる、少なくとも１つのトリガ抵抗（１８ｓ，１８ｍ）を各々が含むことを特徴とする請求項１に記載の発生器。
【請求項３】
前記標準抵抗（１８ｓ）および前記修正抵抗（１８ｍ）間で決定された閾値よりも大きい差によって、前記パルスの前記プラトーの漸増傾斜が決定されることを特徴とする請求項１または２に記載の発生器。
【請求項４】
前記トリガ抵抗（１８ｍ，１８ｓ）が、凝集炭素棒で形成されることを特徴とする請求項１から３のいずれか一項に記載の発生器。
【請求項５】
前記トリガ抵抗が、電解液を満たした管で形成される液体抵抗であることを特徴とする請求項１から３のいずれか一項に記載の発生器。
【請求項６】
前記トリガ抵抗が、炭素粒子を装填したエラストマ材料のシリンダから形成されることを特徴とする請求項１から３のいずれか一項に記載の発生器。
【請求項７】
前記パルスの前記プラトーの前記傾斜は、前記標準および前記修正スイッチ（６ｓ，６ｍ）の閉止のときの入力寄生容量（１７ｓ，１７ｍ）の差によって同様に決まることを特徴とする請求項１または２に記載の発生器。
【請求項８】
前記標準および前記修正スイッチの前記入力寄生容量（１７ｓ，１７ｍ）が、それぞれ前記標準および前記修正モジュールにおいて使用されるスイッチの直径によって決まることを特徴とする請求項７に記載の発生器。
【請求項９】
前記トリガ信号および前記スイッチ（６ｓ，６ｍ）の端子間のパルス電流の確立の間の、トリガ遅延と呼ばれる遅延を決定できる手段を含み、前記標準（３ｓ）および前記修正（３ｍ）モジュールの前記スイッチの前記トリガ遅延の差に応じて、前記パルスの前記プラトーの前記傾斜を調節するようにすることを特徴とする請求項１または２に記載の発生器。
【発明の詳細な説明】
【技術分野】
【０００１】
本発明は、ＬＴＤ（「Ｌｉｎｅａｒ  Ｔｒａｎｓｆｏｒｍｅｒ  Ｄｒｉｖｅｒ（線形変圧器ドライバ）」）系の高電力パルス発生器に関し、より詳細には、パルスの上部の傾斜が調節可能な四角形のパルスを供給することが可能な、かかる発生器に関する。
【背景技術】
【０００２】
「パルス高電力」の技術分野は、数百万ボルトの電圧および数百万アンペアの強度の極短パルスを供給することが可能な発生器を用いる。例えば、スイッチと呼ばれる制御されたスパークギャップを用いてコンデンサが並列に充電され、かつ直列に放電される、マルクス発生器と呼ばれる発生器が知られている。かかるスイッチは、例えばこのスイッチに関して更なる詳細を得るために参照できる、本出願人の特許文献１から知られている。
【０００３】
最近では、２つのコンデンサ間で直列に設置されたスイッチを各々が含む複数のモジュールからなり、スイッチが閉じられるとき、コンデンサが、並列に充電され、かつ直列に放電され、このようにして発生した電流パルスが、高電力パルスを形成するために他の全てのモジュールの電流パルスに加えられる、「線形変圧器ドライバ」すなわちＬＴＤタイプの発生器を使用している。しかしながら、これらのパルスは、一般的にほぼ正弦波形を有し、ある種の用途によっては、実質的に長方形または台形を有するパルスを有することが必要であると思われている。
【０００４】
非特許文献１から、第１の周波数のパルスを生成するように構成された第１の容量値のコンデンサ対を含む第１の一連の標準モジュール、およびスイッチの閉止の際に、第１の周波数の３倍の周波数のパルスを生成するように構成された第２の容量値のコンデンサ対を含む第２の一連の修正モジュールの、二連の電力モジュールを含むＬＴＤタイプの発生器が知られている。負荷におけるこれら２つのパルスの組合せは、フーリエの定理を応用して、ランプアップとプラトーとランプダウンとを含む、実質的に長方形の、結果として生じるパルスを供給する。しかしながら著者らは、上りまたは下り傾斜を有するプラトーを含むかかるパルスが、水素融合（軸方向収縮機）、迅速なＸ線撮影（強力Ｘ線）、または高電力マイクロ波のようなある種の用途に、より適合し得ることを示唆した。
【０００５】
この出版物は、プラトーの傾斜が、修正モジュールのインダクタンスを修正して、例えばコンデンサを負荷に連結する導体幅を修正して、調節できることを示唆している。しかしながら、かかる解決策は、短所を有する。すなわち、モジュールのインダクタンス低下に至る導体幅の増加は、寸法および導体間の絶縁を理由として限定される。同様に、導体幅の減少は、最大許容電力を減少させ、かつインダクタンス増加のためにパルス幅を増加させて、発生器の性能を劣化させる。
【先行技術文献】
【特許文献】
【０００６】
【特許文献１】仏国特許第２８７９８４２号明細書
【非特許文献】
【０００７】
【非特許文献１】ＫＩＭ、ＭＡＺＡＲＡＫＩＳら著、「Ｓｑｕａｒｅ  ｐｕｌｓｅ  ｌｉｎｅａｒ  ｔｒａｎｓｆｏｒｍｅｒ  ｄｒｉｖｅｒ」、２０１２年４月３日、雑誌「Ｐｈｙｓｉｃａｌ  Ｒｅｖｉｅｗ  Ｓｐｅｃｉａｌ  Ｔｏｐｉｃｓ  −  Ａｃｃｅｌｅｒａｔｏｒｓ  ａｎｄ  Ｂｅａｍｓ」、１５号
【発明の概要】
【０００８】
したがって本発明は、先行技術の短所を有することなく、パルスのプラトーの傾斜が調節できる、高電力、かつ四角形のパルスを送出するように構成されたＬＴＤタイプの発生器を対象とする。
【０００９】
本発明は、特に出力電力での最適出力性能を保つことが可能な、かかる発生器を対象とする。
【００１０】
本発明は、パルス形状の調節が、発生器のインダクタンスを修正せずに、かつ特には増加させずに行える、かかる発生器も対象とする。
【００１１】
本発明は、パルスのプラトーの傾斜の調節が、発生器の部品の加工または修正を必要とせずに行いやすい、かかる発生器も対象とする。
【００１２】
本発明は、標準部品の最大値を保ちながら、調節が製造終了時に実行できる、かかる発生器をさらに対象とする。
【００１３】
そのために、本発明は、
−  トリガ電極を備え、第１の容量値の少なくとも１つのコンデンサと直列に設置された、標準スイッチと呼ばれるスイッチを各々が含む、標準モジュールと呼ばれる第１の一連の電力モジュールであって、標準モジュールが、スイッチの閉止の際に第１の周波数でパルスを生成するように構成される、第１の一連の電力モジュールと、
−  トリガ電極を備え、第２の容量値の少なくとも１つのコンデンサと直列に設置された、修正スイッチと呼ばれるスイッチを各々が含む、修正モジュールと呼ばれる第２の一連の電力モジュールであって、修正モジュールが、スイッチの閉止の際に第２の周波数でパルスを生成するように構成され、前記第２の周波数が、第１の周波数の実質的に３倍である、第２の一連の電力モジュールと、
−  強磁性リングと同心の負荷内で標準および修正モジュールによって生成されたパルスを合計し、かつランプアップとプラトーとランプダウンとを含む実質的に四角形の、結果として生じるパルスを得るように構成された、少なくとも１つの前記リングを含む磁気コアを含む中央コアと、
−  トリガ電極に適用されるトリガ信号によって標準および修正スイッチを制御するように構成されたトリガ装置と、を含む高電力パルス発生器であって、
前記トリガ信号が、スイッチのトリガ電極に連結されたトリガインピーダンスを介して適用され、修正インピーダンスと呼ばれる修正スイッチのトリガインピーダンスが、標準インピーダンスと呼ばれる標準スイッチのトリガインピーダンスと異なること、およびパルスのプラトーの傾斜が、標準インピーダンス値と修正インピーダンス値の間の差によって決まることを特徴とする、発生器に関する。
【００１４】
発明者らは、他の全ての問題、この場合にスイッチのトリガ時間変動を解決しようと試みて、驚くべきことに修正スイッチのトリガインピーダンスの修正が、パルスのプラトーの傾斜に対して影響を有することを確認した。発明者らは、そのときに影響力のあるパラメータが、修正スイッチおよび標準スイッチのトリガインピーダンス値の間の差であることを確認した。この予想外の技術的効果のために、電力モジュールの構造を修正することなしに、プラトーの傾斜が調節可能な高電力の四角形パルスを供給することができるパルス発生器を製作することが今や可能である。インピーダンスの簡単な変化は、検討される用途、例えば軸方向収縮機用の上昇するプラトーを有するパルス発生器に応じてパルス発生器を適合させることを可能にする。
【００１５】
有利には、かつ本発明によれば、標準および修正スイッチのトリガインピーダンスは、それぞれ標準抵抗および修正抵抗と呼ばれる、少なくとも１つのトリガ抵抗を各々が含む。このようにして、（標準または修正）モジュールのトリガインピーダンスは、純粋な抵抗から本質的になるが、直列インダクタンスも含んでも良く、標準および修正抵抗は、同一または異なるインダクタンス値に対して異なる値を示し、かつ逆の場合も同じである。しかしながら実際には、トリガインピーダンスは、抵抗である。
【００１６】
有利には、かつ本発明によれば、標準抵抗と修正抵抗間で決定された閾値よりも大きい差によって、パルスのプラトーの漸増傾斜が決定される。閾値は、発生器の構造（修正モジュール数／標準モジュール数）、使用されるスイッチのタイプおよび大きさ、ならびに通過する電流のような多数のパラメータによって決まる。この場合に、修正モジュールのスイッチを通過する電流は、（より小さい容量のコンデンサのために）標準スイッチを通過する電流よりも弱い。標準および修正抵抗間の差の閾値は、実質的に水平なパルスのプラトーを得られるようにする差の値によって決定される。同様に、標準抵抗と修正抵抗の間で決定されたこの閾値よりも低い差は、パルスのプラトーの漸減傾斜を決定する。
【００１７】
標準および修正モジュール間で異なるスイッチを使用することも可能である。それぞれのモジュールを通過する電流に適したスイッチを使用すると、決定された閾値は、一般的にゼロであり、かつ標準抵抗よりも低い修正抵抗は、パルスのプラトーの漸増傾斜を得られるようにする。
【００１８】
このようにして、例えば２つの修正モジュールに対して６つの標準モジュールを含む先行技術のパルス発生器において、２つの抵抗を変更すれば、出力パルスの形状を決定するには十分である。
【００１９】
有利には、かつ本発明によれば、トリガ抵抗は、凝集炭素棒で形成される。凝集炭素の固体抵抗を使用すると、手頃な費用で、良好な精度の抵抗値を得ることが可能である。当然に、臭化カリウムもしくは硫酸銅のような電解液を満たした管で形成される液体抵抗、または炭素粒子を装填したエラストマ材料のシリンダから形成される抵抗のような、このタイプの発生器で一般に用いられる他のタイプの抵抗も使用できる。これらの抵抗に関して、液体であろうと、エラストマであろうと、材料の長さ、断面および抵抗率が、抵抗値を決定する。
【００２０】
有利には、かつ本発明によれば、パルスのプラトーの傾斜は、標準および修正スイッチの閉止のときの入力寄生容量差によって同様に決まる。トリガ電極の寄生容量、すなわちトリガ電極および接地の間の容量が、パルスのプラトーの傾斜に対してより小さい程度に影響を有し得ることも同様に確認された。実際に、スイッチを閉じるために、トリガ信号は、トリガ電極およびスイッチの電極の１つの間でバースト電圧に達するまでにこの容量を充電せねばならない。この充電はトリガ抵抗を介して介在し、この容量値は、トリガ抵抗値のように、トリガ信号の適用およびスイッチの閉止の間の遅延を決定する。
【００２１】
有利には、かつ本発明によれば、標準および修正スイッチの入力容量は、直径によって決まる。実際に、スイッチの入力容量が、等しい動作電圧でスイッチの直径とともに増加することが注目された。したがって、標準スイッチまたは修正スイッチの直径を変更して、発生するパルスのプラトーの傾斜に対して介在することが可能である。
【００２２】
有利には、かつ本発明によれば、パルスのプラトーの傾斜は、トリガ信号およびスイッチの端子間のパルス電流の確立の間の遅延の、標準および修正モジュール間の差によって決定する。このために、標準モジュールおよび／または修正モジュールのトリガインピーダンスは、標準モジュールおよび修正モジュールの間の時間差を有するトリガ信号を各一連のモジュールに分配するように、トリガ装置の出力後すぐに全体的に修正できる。
【００２３】
例えば、このトリガ遅延に応じた標準または修正モジュールにおけるスイッチの選別およびペアリングのような他の手段は、所定のプラトーの傾斜を有するパルスを供給することに適した発生器を製作できるようにする。このようにして、このトリガ遅延の理由がいかなるものであれ、修正モジュールのスイッチが、標準モジュールのスイッチよりも速いならば、パルスのプラトーの傾斜は増加し、かつその逆も同様である。
【００２４】
本発明は、以上または以下に言及される特徴の全部または一部を組み合わせて特徴とする高電力パルス発生器にも関する。
【００２５】
本発明の他の目的、特徴および利点は、以下に続く説明および添付図面を考慮すれば明らかとなろう。
【図面の簡単な説明】
【００２６】
【図１】本発明による発生器のカバーを取り外した概略平面図である。
【図２】本発明による発生器の電力モジュールの断面図である。
【図３】本発明による発生器のトリガ装置の電気接続図である。
【図４】本発明による発生器によって得られる可能性のある様々な形状のパルスを示す図である。
【図５】本発明による発生器の一部を成すスイッチの動作の説明図である。
【発明を実施するための形態】
【００２７】
図１に示した発生器１は、二連の電力モジュールが内部に対称的かつ同等に配分されて配置されたキャビティ２を含む。発生器１は、各々が、全体的に記号３ｓを付された標準モジュールと呼ばれる、第１の一連の６つの電力モジュールと、各々が、全体的に記号３ｍを付された修正モジュールと呼ばれる、第２の一連の電力モジュールとを含む。
【００２８】
本文において、標準モジュールおよびその要素を、修正モジュールおよびその要素から、前者を指し示す参照符号に添え字ｓを、かつ後者に添え字ｍを付けて区別する。このようにして、標準電力モジュールは、３ｓと目印が付され、かつ修正電力モジュールは、３ｍと目印が付される。モジュールまたは要素の参照が、添え字ｓまたはｍによって明確にされないとき、標準モジュールまたは修正モジュールに区別なく適用される。同様に、本文の簡略化に配慮して、修正モジュールに属する要素は、「修正要素」と呼ばれ得るが、但しそれ自体が標準要素と呼ばれる標準モジュールに属する対応する要素と異なることを意味しない。
【００２９】
図１の図面で、電力モジュールは、中心コアの周りに星形に配設され、修正モジュール３ｍは、１２時と６時の位置を占め、かつ標準モジュール３ｓは、修正モジュールの両側に互いに４５°の角度で配分される。
【００３０】
図２に、図１の発生器の放射面に沿った断面を示し、断面が、修正モジュール３ｍを上部に、かつ標準モジュール３ｓを下部に示す各モジュールは、スイッチ６（それぞれ修正モジュールのスイッチに関して６ｍ、かつ標準モジュールのスイッチに関して６ｓ）を含む。各スイッチは、加圧された絶縁容器と、容器の各端部に放電電極と、幾つかの中間電極とを含み、中間電極の１つが、トリガ電極９（それぞれ修正−モジュールの−スイッチに関して９ｍ、かつ標準−モジュールの−スイッチに関して９ｓ）である。各モジュールは、スイッチ６の両側に直列に設置され、電極の１つによりスイッチの対応する放電電極に接続された２つのコンデンサ４（それぞれ修正コンデンサに関して４ｍ、かつ標準コンデンサに関して４ｓ）を含む。示した実施例において、標準モジュール３ｓは、絶縁プレート１５によって分離された、動作電圧１００ｋＶで容量８ｎＦの２つのコンデンサ４ｓ（内一方のみが図２の下部に示される）を含む。同様に、修正モジュール３ｍは、動作電圧５０ｋＶで１．７ｎＦの値の直列の２つのコンデンサから各々がなる２つのコンデンサ４ｍを含む。各コンデンサ４ｓ（それぞれ４ｍ）は、絶縁プレート１５に張り付けられ、かつキャビティ２の中心の方向に伸長する、実質的に長方形の金属板の形状で、スイッチの反対側で導体５ｓ（それぞれ５ｍ）に接続される。導体５は、複数の強磁性材料のリングからなる中心コア７をこのようにして貫通し、かつ臭化カリウムのような電解液を満たしたリングからなる負荷８との界面を形成する。
【００３１】
絶縁プレート１５は、外周に、トリガリング１１と呼ばれる導電性リングを含み、トリガ線１２によってトリガリング１１に連結されたトリガ装置１３に由来するトリガ信号を配分することを可能にする。
【００３２】
修正モジュール３ｍのトリガ電極９ｍおよび標準モジュール３ｓの９ｓは、それぞれトリガインピーダンス１０ｍおよび１０ｓを介してトリガリング１１に連結される。これらのトリガインピーダンスは、場合によりインダクタンスに関連した、少なくとも１つの抵抗１８、好ましくは凝集炭素の固体抵抗からなる。ここに記載した発生器の特別な場合において、トリガインピーダンスは、標準モジュールに関して標準抵抗１８ｓ、かつ修正モジュールに関して修正抵抗１８ｍと記される純抵抗からなる。
【００３３】
標準および修正モジュール、ならびにそのトリガ抵抗は、絶縁プレート１５と同じ物質の２つのハーフシェル１４内に含まれ、かつ絶縁油中に浸漬する。
【００３４】
本発明による発生器のモジュールの動作は、図３との関係で以下で詳述する。
【００３５】
コンデンサ４は、一方に関して＋１００ｋＶかつ他方に関して−１００ｋＶの電圧によって並列に充電され、このようにしてスイッチ６の端子に２００ｋＶの電位差を確立する。トリガ装置１３によって発せられたトリガ信号は、トリガリング１１を介してトリガ抵抗１０およびトリガ電極９に伝送される。一般的に数十キロボルトのパルスの形状のトリガ信号は、スイッチ６内部に電位配分の修正をもたらし、かつスイッチ６の閉止を引き起こす。スイッチ６が閉じられると、電流が、スイッチを介して確立され、かつコンデンサ４内に貯蔵されたエネルギーが、負荷８内を循環する電流を発生させる。
【００３６】
しかしながら、標準モジュール内でも、修正モジュール内でも、トリガ信号およびスイッチ内の電流確立の間に遅延が生成されることが確認された。その上、この遅延は、数ナノ秒のランダムな変動（ジッタ）を受ける期間を有する。発明者らが、修正モジュールに対する様々なトリガ抵抗値を使用して、発生器によって供給された、結果として生じるパルスが、パルスのプラトーの可変傾斜を有することを確認したのは、この現象に対する解決を探求することによってであった。
【００３７】
この現象の帰納的な分析により、次の解釈に至った。すなわち、スイッチ６は、トリガ電極９および接地の間にトリガ「寄生」容量１７が存在するかのように振る舞う。当然に、図３および図５の図に示した容量１７は、便宜的な表示に過ぎないが、実際の寄生容量は、トリガ電極およびスイッチ６の２つの端子間、かつ該２つの端子および接地間に配分される。その場合トリガ抵抗１０および容量１７の集合は、トリガ信号の適用およびスイッチ６の有効な閉止の間で遅延を引き起こす時定数を発生させる。
【００３８】
その上、この遅延が、標準スイッチ６ｓに対して修正スイッチ６ｍに同じ方向（遅れまたは先行）で影響を及ぼすとき、修正スイッチによって発生したパルスは、標準スイッチによって発生したパルスに対してディフェージングを有する。このディフェージングは、図４に示すように、パルスのプラトーの傾斜を引き起こす。この図で、標準モジュールのトリガ遅延が修正モジュールのトリガ遅延に等しい、発生器によって得られたパルス形状を文字Ａを付して、実線で示した。（２本の目印となる垂直線の間の）このパルスのプラトーが、実質的に水平であることが確認できる。同様に、標準モジュールのトリガ遅延が、修正モジュールのトリガ遅延よりも長いときに得られたパルス形状（上り傾斜）を破線で示し、かつ文字Ｂを付し、かつ修正モジュールのトリガ遅延が、標準モジュールのトリガ遅延よりも長いときに得られたパルス形状を鎖線で示し、かつ文字Ｃを付した。
【００３９】
図５になされた本発明による発生器の概略図は、発生器の動作をより良く理解することを可能にする。この図に、発生器の修正モジュールの総和を示す修正モジュールを３ｍで、かつ発生器の標準モジュールの総和を示す標準モジュールを３ｓで示した。
【００４０】
トリガ信号が、標準モジュール３ｓに送出されるとき、モジュールのトリガ抵抗１８ｓおよび入力寄生容量１７ｓは、スイッチ６ｓの閉止に際し遅延を引き起こせるＲＣ回路を形成し、遅延は、トリガ抵抗値および入力寄生容量の積によって決まる。スイッチ６ｓが閉じられるとき、コンデンサ４ｓは、負荷８内でスイッチを介して放電され、コンデンサ４ｓの値によって決まる第１の周波数で第１のパルスを形成する。
【００４１】
修正モジュール３ｍに関して動作は、同一である。スイッチ６ｍは、トリガ抵抗１８ｍおよび寄生容量１７ｍによって決まる遅延を伴って閉じられ、かつコンデンサ４ｍの値によって決まる第２の周波数で第２のパルスの発生を引き起こす。第２の周波数は、第１の周波数の３倍であるように定められている。
【００４２】
２つのパルスは負荷８内で組み合わされ、四角形の、結果として生じるパルスを発生させる。修正および標準モジュールの閉止の遅延差は、これらのパルスの相互のディフェージングを引き起こし、かつフーリエの定理を適用して、結果として生じるパルスのプラトーの傾斜を調整する。
【００４３】
しかしながら容量１７ｍおよび１７ｓの値が非常に低く、約１５ｐＦであり、かつスイッチの直径を変動させる以外に、値を変動させることが困難であることに気が付いた。したがって、標準モジュールおよび修正モジュールの間で異なる直径のスイッチを使用してこれらの容量の値に影響を及ぼすことが可能である。しかしながら、この変動は、寸法の制約によって限定され、スイッチ直径の増加は、スイッチ間の絶縁距離を保持するために、発生器全体の直径の増加を引き起こす。
【００４４】
したがって、パルスのプラトーの望ましい傾斜を得るために、トリガ抵抗値を修正することが好ましい。例として、直径１４０ｍｍの標準スイッチ６ｓおよび直径７８ｍｍの修正スイッチ６ｍに関して、かつ５００オームの標準モジュールのトリガ抵抗１８ｓに関して、３３０オームの修正モジュールのトリガ抵抗１８ｍを使用することは、パルスのプラトーの漸増傾斜を引き起こし、５４０オームのトリガ抵抗１８ｍは、実質的に水平な傾斜を与え、かつ１０００オームのトリガ抵抗１８ｍは、漸減傾斜を与える。標準スイッチ６ｓと同一の修正スイッチ６ｍを使用すると、すなわち直径１４０ｍｍ、５４０オームの標準トリガ抵抗および３３０オームの修正トリガ抵抗は、実質的に水平な傾斜に至らせる。
【００４５】
当然に、特定のＬＴＤ発生器に関係して本発明を記載する以上の説明は、専ら説明に役立つ実施例として与えられ、かつ当業者は、例えば異なるキャビティ当たりのモジュール数（例えばキャビティ当たり４０のモジュール）、修正および標準モジュール数の間の異なる比、または幾つかの直列のキャビティからなる発生器を含む、異なる幾何学的形状の発生器に本発明を応用するように、本発明の範囲から逸脱せずに、多数の修正をもたらすことができる。同様に、電力モジュールは、二重極性（±１００ＫＶ、説明に役立つ実施例でのように、スイッチがコンデンサ間で直列である）か、または単一極性で、唯一のコンデンサがスイッチと直列であっても良く、１つまたは複数の異なる電圧（５０ＫＶ）によって給電されるものであることができる。モジュールは、示した実施例でのように油浴、または加圧乾燥空気のようなガスその他によって絶縁できる。
【図１】
2015534342.tif 000003
【図２】
2015534342.tif 000004
【図３】
2015534342.tif 000005
【図４】
2015534342.tif 000006
【図５】
2015534342.tif 000007
【国際調査報告】
2015534342.tif 000008
2015534342.tif 000009
2015534342.tif 000010
2015534342.tif 000011